(57)【要約】      （修正有）【課題】電動ベッドの作動過程において挟まれることによりけがをすることを防ぐ安全機構を有する電動ベッド裝置を提供する。【解決手段】ベース１と、ベースの上方に位置するベッド板２と、ベースとベッド板とが接続され、ベッド板の昇降を制御することができるリフター３と、ベッド板の周囲の下に設けられ、異物を検出するセンサー構造４と、センサー構造とベッド板とを接続する複数のマンドレル５と、ベッド板に設けられ、複数のマンドレルの作動方向を制限する複数の凸部７と、ベッド板に設けられ、且つ複数のマンドレルの近くに位置し、該リフターの動作を制御する複数のリミットスイッチ６とを含み、該ベッド板が下降する際に、異物がセンサー構造に衝突して、センサー構造をベッド板に向かって変位させ、且つ複数のマンドレルをベッド板の方向へ移動させ、複数のリミットスイッチをオフさせ、リフターの動作を停止させる。【選択図】図２
2018057546.tif 000002
【特許請求の範囲】
【請求項１】
ベースと、
前記ベースの上方に位置するベッド板と、
前記ベースと前記ベッド板とが接続され、前記ベッド板の昇降を制御することができるリフターと、
前記ベッド板の周囲の下に設けられ、異物を検出するセンサー構造と、
前記センサー構造と前記ベッド板とを接続する複数のマンドレルと、
前記ベッド板に設けられ、前記複数のマンドレルの作動方向を制限する複数の凸部と、
前記ベッド板に設けられ、且つ前記複数のマンドレルの近くに位置し、該リフターの動作を制御する複数のリミットスイッチとを含み、該ベッド板が下降する際に、異物が前記センサー構造に衝突して、前記センサー構造を前記ベッド板に向けて変位させ、且つ前記複数のマンドレルを前記ベッド板の方向へ移動させ、前記複数のリミットスイッチをオフさせ、前記リフターの動作を停止させる電動ベッド装置。
【請求項２】
前記複数のマンドレルが円弧形、円形、三角形、菱形、正方形、長方形、又は不規則形状である請求項１に記載する電動ベッド装置。
【請求項３】
前記複数のリミットスイッチはそれぞれ、タッチアーム及び押しボタンをさらに有し、該タッチアームが前記複数のマンドレルのそれぞれに平行し、前記複数のマンドレルの毎に該タッチアームを押し付けると、該タッチアームが変位し該押しボタンを押してオフとなる請求項１に記載する電動ベッド装置。  
【請求項４】
前記ベッド板は更にベッド面を有し、人間工学に基づいて該ベッド面の位置を上昇させることができる請求項１に記載する電動ベッド装置。
【請求項５】
前記センサー構造は、棒状、線状、球状又は面状の１つである請求項１に記載する電動ベッド装置。
【請求項６】
ベースを提供する工程と、
前記ベースの上方にベッド板を提供する工程と、
前記ベースと前記ベッド板とを接続し、且つ前記ベッド板の昇降を制御することができるリフターを提供する工程と、
異物を検出するために、前記ベッド板の周囲の下にセンサー構造を設置する工程と、
前記センサー構造と前記ベッド板とが接続されるように、複数のマンドレルを設置する工程と、
前記ベッド板に、前記複数のマンドレルの作動方向を制限する複数の凸部を設置する工程と、
前記ベッド板の前記複数のマンドレルに近い箇所に、前記リフターの動作を制御する複数のリミットスイッチを設置し、前記ベッド板が下降する際に、異物が前記センサー構造に衝突して、前記センサー構造を前記ベッド板に向けて変位させ、且つ前記複数のマンドレルを前記ベッド板の方向へ移動させ、前記複数のリミットスイッチをオフさせ、前記リフターの動作を停止させる工程と、
を含む電動ベッドの製造方法。
【請求項７】
前記複数のマンドレルは、円弧形、円形、三角形、菱形、正方形、長方形又は不規則形状である請求項６に記載の電動ベッド製造方法。
【請求項８】
前記複数のリミットスイッチは、それぞれタッチアーム及び押しボタンをさらに有し、該タッチアームが前記複数のマンドレルのそれぞれに平行し、前記複数のマンドレル毎に該タッチアームを押し付けると、該タッチアームが変位し該押しボタンを押してオフとなる請求項６に記載の電動ベッド製造方法。
【請求項９】
該ベッドは更にベッド面を有し、該ベッド面は人間工学に基づいて位置を上昇させることができる請求項６に記載の電動ベッド製造方法。
【請求項１０】
前記センサー構造は、棒状、線状、球状又は面状の１つである請求項６に記載の電動ベッド製造方法。
【発明の詳細な説明】
【技術分野】
【０００１】
本発明は電動ベッド裝置、特に電動ベッドの作動過程において挟まれることによりけがをすることを防ぐ安全機構を有する電動ベッド裝置、及びその製造方法に関する。
【背景技術】
【０００２】
患者、行動不便者、老人又は妊婦は、長期的に床につき、体の向きの変更、立ち座り、又は姿勢の変更等をすることが困難であるため、従来の電動ベッドはベッドでの姿勢の調整に役に立つ機能が付くように設計されている。しかし、患者、行動不便者、老人又は妊婦は、行動が不便で、且つ危険を予知する敏感さが低いため、電動ベッドの操作中で手又は足を作動中の電動ベッドにより負傷する場合がよくある。
【０００３】
従来技術の上記問題に鑑みて、本発明は電動ベッド作動中の挟み防止機構を提供し、電動ベッドの昇降作動の範囲内で挟まれることを避けることができ、人身安全を確実に確保することができる。
【発明の概要】
【０００４】
本発明の目的は電動ベッド装置を提供することである。該電動ベッド装置は、ベースと、前記ベースの上方に位置するベッド板と、前記ベースと前記ベッド板とが接続され、前記ベッド板の昇降を制御することができるリフターと、前記ベッド板の周囲の下に設けられ、異物を検出するセンサー構造と、前記センサー構造と前記ベッド板とを接続する複数のマンドレルと、前記ベッド板に設けられ、前記複数のマンドレルの作動方向を制限する複数の凸部と、前記ベッド板に設けられ、且つ前記複数のマンドレルの近くに位置し、該リフターの動作を制御する複数のリミットスイッチとを含み、該ベッド板が下降する際に、異物が前記センサー構造に衝突して、前記センサー構造を前記ベッド板に向けて変位させ、且つ前記複数のマンドレルを前記ベッド板の方向へ移動させ、前記複数のリミットスイッチをオフさせ、前記リフターの動作を停止させる。
【０００５】
本発明の別の目的は、マンドレルが円弧形、円形、三角形、菱形、正方形、長方形、又は不規則形状である電動ベッド装置を提供することである。
【０００６】
本発明の別の目的は、リミットスイッチはそれぞれ、タッチアーム及び押しボタンをさらに有し、該タッチアームがマンドレルと平行し、マンドレルがタッチアームを押し付けると、該タッチアームが変位し該押しボタンを押してオフとなる電動ベッド装置を提供することである。
【０００７】
本発明の別の目的は、ベッド板は更にベッド面を有し、人間工学に基づいて該ベッド面の位置を上昇させることができる電動ベッド装置を提供することである。
【０００８】
本発明の別の目的は、センサー構造が棒状、線状、球状又は面状の１つである電動ベッド装置を提供することである。
【０００９】
本発明の別の目的は、ベースを提供する工程と、ベースの上方にベッド板を提供する工程と、前記ベースと前記ベッド板とを接続し、且つ前記ベッド板の昇降を制御することができるリフターを提供する工程と、異物を検出するために、前記ベッド板の周囲の下にセンサー構造を設置する工程と、前記センサー構造と前記ベッド板とが接続されるように、マンドレルを設置する工程と、前記ベッド板に、前記複数のマンドレルの作動方向を制限する複数の凸部を設置する工程と、ベッド板のマンドレルより近い箇所に、リフターの動作を制御するリミットスイッチを設置し、ベッド板が下降する際に、異物がセンサー構造に衝突して、センサー構造をベッド板に向けて変位させ、且つマンドレルをベッド板の方向へ移動させ、リミットスイッチをオフさせ、リフターの動作を停止させる工程と、を含む電動ベッドの製造方法を提供することである。
【００１０】
本発明の別の目的は、マンドレルが円弧形、円形、三角形、菱形、正方形、長方形又は不規則形状である電動ベッドの製造方法を提供することである。
【００１１】
本発明の別の目的は、リミットスイッチがタッチアーム及び押しボタンをさらに有し、タッチアームがマンドレルと平行し、マンドレルがタッチアームを押し付けると、タッチアームが変位し押しボタンを押してオフとなる電動ベッドの製造方法を提供することである。
【００１２】
本発明の別の目的は、ベッドが更にベッド面を有し、人間工学に基づいてベッド面の位置を上昇させることができる電動ベッドの製造方法を提供することである。
【００１３】
本発明の別の目的は、センサー構造は、棒状、線状、球状又は面状の１つである電動ベッドの製造方法を提供することである。
【図面の簡単な説明】
【００１４】
【図１】図１は本発明の一実施例の電動ベッド装置の側面図である。
【図２】図２は本発明の一実施例の電動ベッド装置の拡大側面図である。
【図３】図３は本発明の一実施例の電動ベッド装置の作動図である。
【図４】図４は本発明の一実施例の電動ベッド装置の側面図である。
【発明を実施するための最良の形態】
【００１５】
以下、実施例及び図面を参照しながら、本発明で採用される技術的手段及びその構造を詳細に説明する。
【００１６】
図１〜４には、本発明の好ましい実施例の電動ベッド装置の側面図及び拡大図を示す。電動ベッド装置は、ベース１と、ベッド板２と、リフター３と、センサー構造４と、マンドレル５と、凸部7と、リミットスイッチ６とを含む。ベース１が電動ベッドの下方に位置し、電動ベッドの全体を支持する。ベース１の材質はアルミニウム合金、ステンレス鋼、鉄、チタン、銅等の各種の金属又はそれらの組合せであってもよく、ウッド、プラスチック、グラス、紙等の材質であってもよい。ベース１の下に滑車又はバンパーがあり、それにより電動ベッドの位置を移動し及び上の使用者をしっかりと支持する。ベッド板２がベース１の上に設置され、リフター３がベッド板２とベース１とを接続し、リフター３によりベッド板２の昇降を制御することで、ベッド板２の上に横になっている使用者が上下の位置を制御することができ、且つ適切な高度でベッドからおりることができる。ベッド板２はベース１と平行となるように設置され、図３に示すように、リフター３が作動すると、ベッド板２がベース１に直交して方向Cで上昇又は下降する。リフター３は油圧マンドレル裝置で、電気モーターにより作動が制御されることができる一方、リフター３は歯車構造、マルチリンク構造又は伸縮構造であってもよく、それらに限られない。センサー構造４はベッド板２の周囲の下に設置され、センサー構造４とベッド板２とが連動し、異物が電動ベッドの作動領域に進入することを検出でき、センサー構造４は棒状、線状、球状又は面状の１つで、ベッド板２の周囲に配置される。マンドレル５はベッド板２に位置し、ベッド板２とセンサー構造４とが接続される。マンドレル５は円弧状であり、その凹面５１が下向きで、ベッド板２に設置された凸部7と接触し、凹面５１が凸部7で滑動する。凸部7により凹面５１の滑動方向を制限し、さらにマンドレル５の移動方向を制限する。また、マンドレル５の凹面５１は上方又は他の異なる方向に向かって凸部7とマンドレル５の経路を制限してもよく、これに限られない。さらに、リミットスイッチ６はベッド板２に設置され、且つマンドレル５の凸面５２に近い。リミットスイッチ６はタッチアーム６１及び押しボタン６２を含み、タッチアーム６１はマンドレル５に平行し、マンドレル５がタッチアーム６１を押し付けると、タッチアーム６１が変位し押しボタン６２を押してリミットスイッチ６をオン/オフにさせることにより、リフター３の作動及び不作動を制御できる。ベッド板２が下降する際に、異物がセンサー構造４に衝突して、センサー構造４をベッド板２に向けて変位させ、且つマンドレル５をベッド板２の方向へ移動させることで、タッチアーム６１が押しボタン６２を押して、リミットスイッチ６をオフにさせ、リミットスイッチ６がこの情報をリフター３に送信してリフター３の動作を停止させるように制御する。使用者が電動ベッドの昇降作動の範囲内で挟まれることを避けることができ、人身安全を確実に確保することができる。前記のような実施例において、マンドレル５構造は円弧形、円形、三角形、菱形、正方形、長方形又は不規則形状であってもよく、且つ凸部7で滑り、ただし、形状はそれらに限られない。ベッド板２は更にベッド面２１を有し、人間工学���基づいてベッド面２１の位置を上昇させることができるため、立ったり座ったり、横になったり、半坐臥等の各種姿勢を提供する。さらに、ベッド板２の上昇と下降により、使用者のベッドでの必要な各姿勢、例えばベッドでの食事、ベッドの上り下り等を実現させることができる。
【００１７】
図１〜４に示すように、本発明の他の好ましい実施例は電動ベッド装置の製造方法を提供する。電動ベッドの全体を支持するように電動ベッドの下にベース１を提供し、ベース１の材質はアルミニウム合金、ステンレス鋼、鉄、チタン、銅等の各種の金屬又はそれらの組合せであってもよく、ウッド、プラスチック、グラス、紙等の材質であってもよい。電動ベッドが移動すること及び上の使用者をしっかりと支持することができるようにベース１の下に滑車又はバンパーを設置する。ベッド板２をベース１上に設置し、リフター３を、ベッド板２とベース１とが接続されるように設置し、リフター３はベッド板２の昇降を制御できることで、ベッド板２の上に横になっている使用者が控制ベッド板１を制御することができ、且つ適切な高度でベッドからおりることができる。ベッド板２はベース１と平行となるように設置され、図３に示すように、リフター３が作動すると、ベッド板２がベース１に直交して方向Cで上昇又は下降する。リフター３は油圧マンドレル裝置で、電気モーターにより作動が制御されることができる一方、リフター３は歯車構造、マルチリンク構造又は伸縮構造であってもよく、それらに限られない。センサー構造４をベッド板２の周囲の下に設置し、センサー構造４がベッド板２と連動し、異物が電動ベッドの作動領域に進入することを検出でき、センサー構造４は棒状、線状、球状又は面状の1つで、ベッド板２の周囲に配置される。ベッド板２にマンドレル５を設置し、マンドレル５をベッド板２及びセンサー構造４に接続させる。マンドレル５は円弧状であり、その凹面５１が下向きで、ベッド板２に設置された凸部7と接触し、凹面５１が凸部7で滑動する。凸部7により凹面５１の滑動方向を制限し、さらに、リミットスイッチ6をベッド板２のマンドレル５の凸面５２に近い箇所に設置する。リミットスイッチ6はタッチアーム6１及び押しボタン6２を含み、タッチアーム6１はマンドレル５に平行し、マンドレル５がタッチアーム6１を押し付けると、タッチアーム6１が変位し押しボタン6２を押してリミットスイッチ6をオン/オフにさせることにより、リフター３の作動及び不作動を制御できる。ベッド板２が下降する際に、異物がセンサー構造４に衝突して、センサー構造４をベッド板２に向かって変位させ、且つマンドレル５をベッド板２の方向へ移動させることで、タッチアーム6１が押しボタン6２を押して、リミットスイッチ6をオフにさせ、リミットスイッチ6がこの情報をリフター３に送信してリフター３の動作を停止させるように制御する。使用者が電動ベッドの昇降作動の範囲内で挟まれることを避けることができ、人身安全を確実に確保することができる。前記のような実施例において、マンドレル５構造は円弧形、円形、三角形、菱形、正方形、長方形又は不規則形状であってもよく、且つ凸部7で滑り、ただし、形状はそれらに限られない。ベッド板２は更にベッド面２１を有し、人間工学に基づいてベッド面２１の位置を上昇させることができるため、使用者が立ったり座ったり、横になったり、半坐臥等の各種姿勢をすることを可能にする。さらに、ベッド板２の上昇と下降により、使用者のベッドでの必要な各姿勢、例えばベッドでの食事、ベッドの上り下り等を実現するこ���ができる。
【００１８】
尚、上記の実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００１９】
１、ベース
２、ベッド板
２１、ベッド面
３、リフター
４、センサー構造
５、マンドレル
５１、凹面
５２、凸面
６、リミットスイッチ
６１、タッチアーム
６２、押しボタン
7、凸部
C、方向
【図１】
2018057546.tif 000003
【図２】
2018057546.tif 000004
【図３】
2018057546.tif 000005
【図４】
2018057546.tif 000006
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
ベースと、
前記ベースの上方に位置するベッド板と、
前記ベースと前記ベッド板とが接続され、前記ベッド板の昇降を制御することができるリフターと、
前記ベッド板の周囲の下に設けられ、異物を検出するセンサー構造と、
前記センサー構造と前記ベッド板とを接続する複数のマンドレルと、
前記ベッド板に設けられ、前記複数のマンドレルの作動方向を制限する複数の凸部と、
前記ベッド板に設けられ、且つ前記複数のマンドレルの近くに位置し、該リフターの動作を制御する複数のリミットスイッチとを含み、該ベッド板が下降する際に、異物が前記センサー構造に衝突して、前記センサー構造を前記ベッド板に向けて変位させ、且つ前記複数のマンドレルを前記ベッド板の方向へ移動させ、前記複数のリミットスイッチをオフさせ、前記リフターの動作を停止させる電動ベッド装置。
【請求項２】
前記複数のマンドレルが円弧形、円形、三角形、菱形、正方形、長方形、又は不規則形状である請求項１に記載する電動ベッド装置。
【請求項３】
前記複数のリミットスイッチはそれぞれ、タッチアーム及び押しボタンをさらに有し、前記複数のマンドレル毎に該タッチアームを押し付けると、該タッチアームが変位し該押しボタンを押してオフとなる請求項１に記載する電動ベッド装置。
【請求項４】
前記ベッド板は更にベッド面を有し、該ベッド面は人間工学に基づいて位置を上昇させることにより、使用者が立ったり座ったり、横になったり、半坐臥等の各種姿勢を提供することができる請求項１に記載する電動ベッド装置。
【請求項５】
前記センサー構造は、棒状、線状又は面状の１つである請求項１に記載する電動ベッド装置。
【請求項６】
ベースを提供する工程と、
前記ベースの上方にベッド板を提供する工程と、
前記ベースと前記ベッド板とを接続し、且つ前記ベッド板の昇降を制御することができるリフターを提供する工程と、
異物を検出するために、前記ベッド板の周囲の下にセンサー構造を設置する工程と、
前記センサー構造と前記ベッド板とが接続されるように、複数のマンドレルを設置する工程と、
前記ベッド板に、前記複数のマンドレルの作動方向を制限する複数の凸部を設置する工程と、
前記ベッド板が下降する際に、異物が前記センサー構造に衝突して、前記センサー構造を前記ベッド板に向けて変位させ、且つ前記複数のマンドレルを前記ベッド板の方向へ移動させ、前記複数のリミットスイッチをオフさせ、前記リフターの動作を停止させるように、前記ベッド板の前記複数のマンドレルに近い箇所に、前記リフターの動作を制御する複数のリミットスイッチを設置する工程と、
を含む電動ベッドの製造方法。
【請求項７】
前記複数のマンドレルは、円弧形、円形、三角形、菱形、正方形、長方形又は不規則形状である請求項６に記載の電動ベッド製造方法。
【請求項８】
前記複数のリミットスイッチは、それぞれタッチアーム及び押しボタンをさらに有し、前記複数のマンドレル毎に該タッチアームを押し付けると、該タッチアームが変位し該押しボタンを押してオフとなる請求項６に記載の電動ベッド製造方法。
【請求項９】
該ベッドは更にベッド面を有し、該ベッド面は人間工学に基づいてその位置を上昇させることにより、使用者が立ったり座ったり、横になったり、半坐臥等の各種姿勢を提供することができる請求項６に記載の電動ベッド製造方法。
【請求項１０】
前記センサー構造は、棒状、線状又は面状の１つである請求項６に記載の電動ベッド製造方法。